(57)【要約】【課題】  壁板にシャワーヘッドを引き出し自在に支持する支持部が設けられたシャワーヘッドの支持装置において、支持部内に浸入した水がスムーズに壁板から流れ落ちるようにする。【解決手段】  カウンター１２から立設した壁板１４に、正面側に突出する支持部２１が設けられ、この支持部２１はホース１９の先端に接続したシャワーヘッド３０を引き出し自在に支持し、ホース１９は支持部２１から壁板１４の裏側に挿通するシャワーヘッド３０の支持装置において、前記支持部２１は立壁１４と一体に形成され、内部にはホース１９を挿通させホース１９に付着した水滴を遮断する水切部材２４が収容され、周面下部には水抜孔２８を開口し、ホース１９に付着した水滴を水切部材２４により遮断し、遮断された水滴を水抜孔２８から壁板に向けて排水するようにした。【選択図】図３
2008082002.tif 000002
【特許請求の範囲】
【請求項１】
カウンターから立設した壁板に、正面側に突出する支持部が設けられ、この支持部はホースの先端に接続したシャワーヘッドを引き出し自在に支持し、ホースは支持部から壁板の裏側に挿通するシャワーヘッドの支持装置において、前記支持部は立壁と一体に形成され、内部にはホースを挿通させホースに付着した水滴を遮断する水切部材が収容され、周面下部には水抜孔を開口し、ホースに付着した水滴を水切部材により遮断し、遮断された水滴を水抜孔から壁板に向けて排水するようにしたことを特徴とするシャワーヘッドの支持装置。
【請求項２】
前記水抜孔は支持部の底面に開口したことを特徴とする請求項１記載のシャワーヘッドの支持装置。
【発明の詳細な説明】
【技術分野】
【０００１】
この発明は、洗面化粧台や流し台等において、シャワーヘッドを引き出し自在に支持する支持部を備えたシャワーヘッドの支持装置に関するものである。
【背景技術】
【０００２】
例えば洗面化粧台において、洗面ボウル後方のカウンター上に混合水栓と共に支持部材を設け、この支持部材にシャワーヘッドを引き出し自在に支持し、シャワーヘッドはホースと共に引き出し自在に支持されることで、湯水を広い範囲で吐水できるようにしたものが普及しているが、近年は洗面ボウルの周囲に広いスペースを確保して有効に利用できるように、シャワーヘッドを支持するための支持部材をカウンター後部の略垂直な壁板に設置したものが商品化されており、例えば特許文献１に開示されている。
【０００３】
この特許文献１について図５により簡単に説明すると、洗面化粧台の壁板４０には壁孔４１が形成され、この壁孔４１に対し前面側から支持部材４２が固定されている。支持部材４２は略円筒状で、内部には洗面化粧台内部への水の浸入を防止するための水切部材４３が収容されている。この水切部材４３が収容された支持部材４２の先端にはシャワーヘッド４４が着脱自在に支持され、シャワーヘッド４４は基端に結合されたホース４５が壁孔４１を挿通し、ホース４５と共に支持部材４２から引き出し可能となっている。
【０００４】
支持部材４２は壁板４０と別物品であり、壁板４０に対して固定手段により固定されている。この場合、支持部材４２の内部には水切部材４３が収容されているため、シャワーヘッド４４から吐水された水がホース４５を伝って支持部材４２内部に浸入してしまうと、この水は水切部材４３により遮られ、支持部材４２に開口した水抜孔４６から支持部材４２の外周面及び壁板４０を伝って洗面ボウルへ到達する。従って、支持部材４２から洗面化粧台内部に水が浸入することがなく、洗面化粧台内部を常時清潔な状態に維持することができる。
【０００５】
【特許文献１】特開２００４−１５０２１９号公報
【発明の開示】
【発明が解決しようとする課題】
【０００６】
前記特許文献１においては、支持部材４２は壁板４０とは別物品であるため、壁板４０に固定すると、互いの物品の間に段差部４７が形成され、この段差部４７には水が溜り易く、水抜孔４６から伝う水が付着してしまい、不衛生であった。
【０００７】
この発明は、このような従来の技術に存在する問題点に着目してなされたものであり、その課題は、壁板にシャワーヘッドを引き出し自在に支持する支持部が設けられたシャワーヘッドの支持装置において、支持部内に浸入した水がスムーズに壁板から流れ落ちるようにすることである。
【課題を解決するための手段】
【０００８】
上記課題を達成するため、請求項１記載の発明では、カウンターから立設した壁板に、正面側に突出する支持部が設けられ、この支持部はホースの先端に接続したシャワーヘッドを引き出し自在に支持し、ホースは支持部から壁板の裏側に挿通するシャワーヘッドの支持装置において、前記支持部は立壁と一体に形成され、内部にはホースを挿通させホースに付着した水滴を遮断する水切部材が収容され、周面下部には水抜孔を開口し、ホースに付着した水滴を水切部材により遮断し、遮断された水滴を水抜孔から壁板に向けて排水するようにしたことを特徴とする。
【０００９】
請求項２に記載の発明では請求項１記載の発明において、前記水抜孔は支持部の底面に開口したことを特徴とする。
【発明の効果】
【００１０】
請求項１に記載の発明によれば、支持部から流れだす水は支持部と壁板との間で留まることなくスムーズに流れ落ち、支持部及び壁板の周囲を常時清潔に保つことができる。
【００１１】
請求項２に記載の発明によれば、請求項１に記載の効果に加えて、支持部に浸入した水は壁板に対しスムーズに流れ落ちる。
【発明を実施するための最良の形態】
【００１２】
以下、本発明を具体化した実施例を、図を用いて詳細に説明する。
【実施例１】
【００１３】
この発明の実施例１は図１及び図２に示すように、洗面化粧台１０におけるキャビネット１１上にはカウンター１２が設けられ、カウンター１２の中央には洗面ボウル１３が形成されるととともに、カウンター１２の奥側には合成樹脂製の壁板１４が立設されている。壁板１４の前面には、シングルレバー式の水栓１５と、支持部２１とシャワーヘッド３０とからなる吐水器具１６とが設けられている。図２に示すように、水栓１５には、図示しない水道管に接続された給水ホース１７と、図示しない給湯器の出力側に接続された給湯ホース１８とが接続されるとともに、吐水器具１６に湯水を供給するためのホース１９が接続されている。そして、水栓１５に対するレバー操作に基づき、給水ホース１７から供給される水と、給湯ホース１８から供給される湯とが所要の割合で混合されるとともに、生成された湯水が、吐水器具１６に対しホース１９を介して所要量供給される。なお、ホース１９には保護用の鞘管２０が被せられている。
【００１４】
次に、吐水器具１６及びその取付構造について説明する。図３及び図４に示すよう、前記壁板１４の前面には、正面側に突出するとともに壁板１４を貫通する貫通孔２１ａが形成された支持部２１が一体に突出形成されている。支持部２１の貫通孔２１ａにおける壁板１４の背面側の端部には、前記鞘管２０の端部を嵌合させたスリーブ２２が装着されている。スリーブ２２の外周面と、貫通孔２１ａの内周面との間は、スリーブ２２の外周面に装着されたシール部材２３によってシールされている。また、支持部２１の貫通孔２１ａには、ホース１９を通し孔２５に引き出し自在に挿通させた合成樹脂製の水切部材２４が装着されている。
【００１５】
前記水切部材２４は弾力性を備えた合成樹脂又はゴムによる一体成型で、ホース１９が挿通する通し孔２５にはリング状のブラシ２６が装着されており、このブラシ２６は長めの植毛が密に施され、水が付着しているホース１９の外周面がブラシ２６に接すると、水はブラシ２６により塞き止められ、壁板１４の裏側で、洗面化粧台１０の内部に向けて浸入することがないようにするものである。
【００１６】
前記支持部２１の下部で、その底面にはホース１９の外周面と向かい合うようにして水抜孔２８が一対開口しており、水切部材２４はその外周面に形成された爪部２７が一方の水抜孔２８に対し弾力的に係合することで、支持部２１の内部に固定される。
【００１７】
前記支持部２１の水抜孔２８は、水切部材２４のブラシ２６から落下した水を外部へ排水するための通路を兼ねており、水抜孔２８から排水される水は、壁板１４を伝ってカウンター１２に流れ落ちる。
【００１８】
水切部材２４の先端には、支持部２１の先端から外部に突出する筒部２４ａが形成されている。水切部材２４の外周面と貫通孔２１ａの内周面との間は、水切部材２４の外周面上に装着されたシール部材２９によってシールされている。
【００１９】
前記ホース１９は、スリーブ２２及び水切部材２４を挿通して壁板１４の正面側へ引き出され、その先端にはシャワーヘッド３０が装着されている。シャワーヘッド３０は合成樹脂製のボディ３１を備え、このボディ３１の基端には、前記支持部材２１を覆うための覆い部３１ａが形成されている。ボディ３１の内部には、ホース１９の先端を接続したハウジング３２が固定され、このハウジング３２の内部に形成された水路３２ａにホース１９が連通されている。ハウジング３２には、前記水切部材２４の筒部２４ａの外周に嵌合可能な嵌合凹部３２ｂが形成され、この嵌合凹部３２ｂへ筒部２４ａが嵌合することによって、シャワーヘッド３０が支持部２１に支持されるようにしている。
【００２０】
シャワーヘッド３０の内部における先端側には、合成樹脂製の水路形成部材３３が固定され、その内部に形成された水路３３ａに、ハウジング３２の水路３２ａが連通されている。さらにボディ３１の先端開口部３１ｂには、周知の吐水機構３４が装着され、この吐水機構３４に水路形成部材３３の水路３３ａが連通されている。なお、吐水機構３４は手動操作により直流又はシャワー流に、その吐水形態を切り替え可能である。
【００２１】
上記の構成において、洗面化粧台１０で水栓１５を使用するときには、図４に示すように、吐水器具１６のシャワーヘッド３０を支持部２１から前面側に向けて引き出せば、洗面ボウル１３に向けて広い範囲で水を吐水することができる。この状態において、シャワーヘッド３０から吐水された水は、ホース１９の表面に付着する場合があり、ホース１９に付着した水は、ホース１９の外周面を伝って支持部２１の内部に浸入しようとすると、この水は水切部材２４のブラシ２６に接するとホース１９の周囲に振り落とされ、ブラシ２６の下部に開口した水抜孔２８から支持部２１の外部に排水される。次に水は支持部２１の外周面を伝って壁板１４に達する。この場合、支持部２１は壁板１４に一体に形成されているので、壁板１４と支持部２１との間の境界線Ａには段差がなく、水はカウンター１２に向けてスムーズに流れ落ちる。従って、境界線Ａに水が溜まり、不衛生となることがない。
【００２２】
このように本発明によるシャワーヘッドの支持装置では、カウンターから立設した壁板に、正面側に突出する支持部が設けられ、この支持部はホースの先端に接続したシャワーヘッドを引き出し自在に支持し、ホースは支持部から壁板の裏側に挿通するシャワーヘッドの支持装置において、前記支持部は立壁と一体に形成され、内部にはホースを挿通させホースに付着した水滴を遮断する水切部材が収容され、周面下部には水抜孔を開口し、水切部材によりホースに付着した水滴を遮断し、遮断された水滴を水抜孔から壁板に向けて排水するようにしたので、水は支持部と壁板との間で留まることなくスムーズに流れ落ち、支持部及び壁板の周囲を常時清潔に保つことができる。
【図面の簡単な説明】
【００２３】
【図１】壁板に支持部が一体に形成された洗面化粧台を示す正面図である。
【図２】図１の側面図である。
【図３】壁板の支持部にシャワーヘッドが支持された状態を示す縦断面図である。
【図４】壁板の支持部からシャワーヘッドを引き出した状態の縦断面図である。
【図５】従来技術の説明図である。
【符号の説明】
【００２４】
１２            ：  カウンター
１４            ：  壁板
１９            ：  ホース
２１            ：  支持部
２４            ：  水切部材
２８            ：  水抜孔  
３０            ：  シャワーヘッド
【図１】
2008082002.tif 000003
【図２】
2008082002.tif 000004
【図３】
2008082002.tif 000005
【図４】
2008082002.tif 000006
【図５】
2008082002.tif 000007